(57)【要約】【課題】ＣＢＳ配信される最新情報を自動的に表示する。【解決手段】ＣＢＳ配信される天気予報の情報を受信し、対応する画像データや絵文字３３，３５を表示部１３のピクト領域３１、あるいは、背面表示部３４に表示する。これにより、ユーザーは、最新情報を閲覧するための操作を行うことなく、自動的に最新の情報をみることができる。【選択図】  図２
2004193939.tif 000002
【特許請求の範囲】
【請求項１】
基地局からＣＢＳで送信される情報を受信する手段と、
該受信した情報に基づく情報を表示部のピクト領域あるいは背面表示部に常時表示させる表示制御手段とを有することを特徴とする携帯通信機器。
【請求項２】
基地局からＣＢＳで送信される情報を受信する手段と、
該受信した情報に含まれている表示部のピクト領域あるいは背面表示部に表示させる情報を示す制御情報を抽出するデータ解析手段と、
該データ解析手段により抽出された前記制御情報に基づいて表示部のピクト領域あるいは背面表示部に対応する情報を常時表示させる表示制御手段と
を有することを特徴とする携帯通信機器。
【請求項３】
前記ＣＢＳで送信される情報は、地域の天気予報に関する情報であることを特徴とする請求項１又は２記載の携帯通信機器。
【発明の詳細な説明】
【０００１】
【発明の属する技術分野】
本発明は、携帯電話機などの携帯通信機器に関し、特に、ＣＢＳで送信される情報を受信する機能を有する携帯通信機器に関する。
【０００２】
【従来の技術】
近年、携帯電話やＰＨＳにおいて、ユーザーのいる場所に応じた情報を提供する位置情報サービスが注目をあびている。このような位置情報サービスの一つとして、セル単位で、その地域の天気予報やイベント案内などの文字情報を配信するＣＢＳ（Ｃｅｌｌ  Ｂｒｏａｄｃａｓｔｉｎｇ  Ｓｅｒｖｉｃｅ）がある。
図６を参照してＣＢＳについて説明する。
図６において、１〜４は基地局であり、それぞれに対応するエリア（セル）１〜４内に位置する移動機７との間で通信を行う。ここで、ＣＢＳにおいては、各基地局１〜４は、それぞれ自局のエリア内に位置する移動局に対し情報を自動配信している。例えば、基地局１はその配下の移動局に対して情報８を配信し、基地局２は情報９を配信している。具体的には、配信用の物理チャネル（ＢＰＣＨ：Ｂｒｏａｄｃａｓｔ  Ｐｈｙｓｉｃａｌ  Ｃｈａｎｎｅｌ）が設けられ、このＢＰＣＨを使用して網から移動機にデータが放送される。
【０００３】
５はＣＢＳのサービスセンター（ＣＢＣ：Ｃｅｌｌ  Ｂｒｏａｄｃａｓｔｉｎｇ  Ｃｅｎｔｅｒ）であり、コンテンツ提供業者などから提供された各種コンテンツは、ＣＢＣ５からそれぞれのコンテンツに対応する基地局１〜４に供給され、各基地局１〜４からそれぞれのエリア内に配信されることとなる。
移動機７は、エリア１内に位置しているときは、基地局１から配信されるコンテンツ８を受信し、基地局２のエリア２内に移動したときには、基地局２から配信される情報９を受信する。このように、ユーザーは、その位置に応じた情報の配信を受けることができる。
ここで、ＣＢＳのコンテンツは、各エリア独特の情報であっても良いし、全エリアに共通のものであってもよい。エリアに密着したコンテンツとしては、そのエリアの天気予報やイベント案内などがあり、最新の情報を配信するために、所定の時間ごと（例えば、ニュースは１時間ごと、天気予報は６時間ごと）に配信する情報を更新するようにしている。
【０００４】
【発明が解決しようとする課題】
このように、ＣＢＳは、自動的に情報が配信されるプッシュ型のサービスであるため、通常のリクエストアクセス型のサービスとは異なり、タイトルを選択することにより情報を即時に表示することができるものである。
しかしながら、ユーザーが情報を閲覧するためには、タイトルを選択するなどの操作が必要であった。
図７は、この様子を示す図である。前述のように、各基地局からは、所定の時間間隔ごとに、あるいは、適宜更新されるＣＢＳコンテンツが配信されており、ユーザーが、ＣＢＳ配信された最新の情報を閲覧しようとするときには、（ａ）に示すＣＢＳに関するメニューから新着情報を選択する。これにより、（ｂ）に示す画面となり、情報の更新があったコンテンツが表示される。図示する例では、ニュースと天気予報が情報の更新があったものとして表示されている。ユーザーが最新の天気予報を閲覧したいときには、天気予報を選択し、これにより、（ｃ）に示すように最新の天気予報が画面上に表示されることとなる。
このように、ユーザーは最新の情報を閲覧しようとするときに、そのための操作を行うことが必要であった。
【０００５】
そこで、本発明は、閲覧のための操作を行うことなく、ＣＢＳで提供される天気予報などのコンテンツを自動的に閲覧することができる携帯通信機器を提供することを目的としている。
【０００６】
【課題を解決するための手段】
上記目的を達成するために、本発明の携帯通信機器は、基地局からＣＢＳで送信される情報を受信する手段と、該受信した情報に基づく情報を表示部のピクト領域あるいは背面表示部に常時表示させる表示制御手段とを有するものである。
また、本発明の他の携帯通信機器は、基地局からＣＢＳで送信される情報を受信する手段と、該受信した情報に含まれている表示部のピクト領域あるいは背面表示部に表示させる情報を示す制御情報を抽出するデータ解析手段と、該データ解析手段により抽出された前記制御情報に基づいて表示部のピクト領域あるいは背面表示部に対応する情報を常時表示させる表示制御手段とを有するものである。
さらに、前記ＣＢＳで送信される情報は、地域の天気予報に関する情報とされているものである。
【０００７】
【発明の実施の形態】
図１は、本発明の携帯通信機器のハードウェア構成の概略を示すブロック図である。
この図において、１１はマイクロプロセッサなどからなる制御部、１２は各種制御プログラムや各種データを記憶する記憶部、１３は表示部、１４は操作キー、１５はアンテナ、１６は送受信部、１７は音声信号処理などを行う信号処理部、１８はマイク、１９はスピーカである。ここで、前記制御部１１には、後述するデータ解析処理を行うデータ解析手段２１や表示制御手段２２などが設けられている。また、前記記憶部１２には、前記表示部１３に表示するためのアイコンや絵文字などの画像データなども記憶されている。
【０００８】
図２は、本発明における前記表示部１３の表示の様子を示す図である。
図２の（ａ）は、待ち受け時の表示画面の一例を示す図である。この図に示すように、表示部１３の表示画面は、（１）画面上部に設けられ、電池の残量や電波強度などを表示するために用いられるピクト領域（ピクト行）３１と、（２）各種情報をユーザー操作により表示したり、アプリケーションプログラムにより表示が制御される実行領域３２との２つの領域に分割されている。ここで、本発明においては、前記ピクト領域３１にＣＢＳにより配信された情報、具体的には天気予報を示す情報３３が常時表示されている。
また、図２の（ｂ）は、折畳み型携帯通信機器の背面表示部３４の表示の一例を示す図である。この図に示すように、当該携帯通信機器が折畳み型であるときには、その背面表示部３４に、ＣＢＳにより配信された天気予報を示す情報３５を常時表示するようにしている。
【０００９】
このように、本発明の携帯通信機器においては、表示部のピクト領域３１あるいは背面表示部３４にＣＢＳで配信された情報に対応する情報を常時表示するようにしているため、ユーザーが最新情報を閲覧するための操作を行う必要がなく、操作性のよい携帯通信機器を提供することができる。なお、背面表示部３４を有する携帯通信機器においては、ＣＢＳで配信された情報に対応する情報をピクト領域３１と背面表示部３４の両方に同時に表示するようにしてもよいし、いずれか一方にのみ表示させるようにしてもよい。
【００１０】
次に、このようにピクト領域３１あるいは背面表示部３４にＣＢＳにより配信された情報３３あるいは３５を常時表示させるために実行される処理について、図３のフローチャートを参照しつつ説明する。
なお、ここでは、ＣＢＳで配信されている複数のコンテンツのうち、前記ピクト領域３１あるいは前記背面表示部３４に情報を常時表示させるコンテンツをあらかじめ選択しておき、該選択されたコンテンツを指定するインフォメーションＩＤ情報が前記記憶部１２などに設定されているものとする。そして、配信されるコンテンツの中に前記ピクト領域３１あるいは前記背面表示部３４に常時表示させる情報に関する制御情報を含ませるようにしてあるものとして説明する。
【００１１】
図３の処理は、ＣＢＳ受信機能がオンとされている携帯通信機器の電源が投入されたとき、あるいは、ＣＢＳ受信機能がオフからオンとされたときに、実行開始される。
処理が開始されると、ＣＢＳ配信用の物理チャネルＢＰＣＨのデータを受信する（ステップＳ１）。ＣＢＳの全コンテンツはＢＰＣＨを介して配信されており、受信された情報は、前記記憶部１２内の所定の領域に保存される（ステップＳ２）。ユーザーは、前記図７に関して説明したように、これらの情報を任意に読み出して前記表示部１３の実行領域３２に表示することができる。
制御部１１のデータ解析手段２１は、前記記憶部１２内に保存されたＣＢＳコンテンツのうち、情報を常時表示するものとして前記記憶部１２に設定されているインフォメーションＩＤを有するコンテンツを検出し、その解析を行う（ステップＳ３）。
【００１２】
ここでは、天気予報コンテンツが情報を常時表示すべきコンテンツであるとして選択されているものとする。
図４の（ａ）は、ＢＰＣＨを介して配信される天気予報コンテンツの一例を示す図である。この図に示すように、天気予報コンテンツは、ＨＴＭＬ（Ｈｙｐｅｒ  Ｔｅｘｔ  Ｍａｒｋｕｐ  Ｌａｎｇｕａｇｅ）をベースとするＭＭＬ（Ｍｏｂｉｌｅ  Ｍａｒｋｕｐ  Ｌａｎｇｕａｇｅ）で記述されており、タグ＜３＞はＭＭＬのバージョン（ＨＴＭＬにおける＜ＨＴＭＬ＞に相当）、タグ＜！”ＣＯＭＭＥＮＴ”＞はコメントタグ（ＨＴＭＬにおける＜！−−”ＣＯＭＭＥＮＴ”−−＞に相当）、タグ＜ＰＲ＞はこのタグ内で改行・タブコードを有効とすること（＜ＰＲＥ＞に相当）、タグ＜Ｔ＞はドキュメントのタイトル（＜ＴＩＴＬＥ＞に相当）、タグ＜Ａ  Ｈ＝”ＵＲＬ”＞はハイパーリンク（＜Ａ  ＨＲＥＦ＝”ＵＲＬ”＞に相当）、タグ＜ＢＲ＞は改行をそれぞれ示している。この図４の（ａ）に示したコンテンツにより、前記図７の（ｃ）に示した天気予報の画面が表示される。
そして、本発明のこの実施の形態においては、図中４１で示すコメントタグ中に前記ピクト領域３１あるいは前記背面表示部３４に常時表示させる情報３３あるいは３５に関する制御情報を記述するようにしている。
図４の（ｂ）は、コメントタグ４１中に記述される情報の各フィールドに含まれているデータの意味を示すテーブルの一例を示す図である。すなわち、図示する例では、コメントタグ４１中の第１フィールドのデータにより予報１（太陽、月、曇り、雨、雷、雪）に対応する絵文字を示し、第２フィールドにより予報１と予報２とを結合するパラメータ（「後」，「時々」）を示し、第３フィールドにより前記予報１と同様に予報２を示す絵文字を示している。
【００１３】
前記ステップＳ３において、前記データ解析手段２１は、前記図４の（ｂ）に示したテーブルを参照して、前記コメントタグ４１を解析する。図４の（ａ）に示した例におけるコメントタグ４１の場合には、第１フィールドが「１」（太陽（晴れ））、第２フィールドが「２」（時々）、第３フィールドが「３」（曇り）であることが解析される。
そして、前記表示制御手段２２は、ステップＳ３の解析結果に基づいて、予報１、パラメータ及び予報２のデータに対応する画像データを前記記憶部１２から読み出し、前記表示部のピクト表示部３１あるいは前記背面表示部３４に表示させる（ステップＳ４）。
【００１４】
以下、ユーザーが移動して所属するセルが変更されたか（ステップＳ５）、あるいは、ＣＢＳデータの解析を行ってピクト表示部３１あるいは背面表示部３４への表示を更新してからあらかじめ設定した所定の時間（例えば、１時間、３時間など）経過したか（ステップＳ６）を判定し、セルを移動したとき、あるいは、更新後所定時間経過したときには、前記ステップＳ１に戻り、最新の情報をピクト表示部３１あるいは背面表示部３４に表示する。
【００１５】
このようにして、前記表示部１３のピクト領域３１あるいは背面表示部３４にＣＢＳ配信された最新の情報３３あるいは３５を常時表示させることができる。
また、この実施の形態においては、ＣＢＳ配信されるコンテンツ中のコメント情報の中に常時表示させる情報に関する制御情報を含ませるようにしたため、チャネルを効率的に使用することができる。そして、前記データ解析手段２１を有しない既存の携帯通信端末においては、前記制御情報は単なるコメントとして扱われて無視されるので、その動作・表示に問題が発生することはない。
なお、誤って解析を行うことがないように、前記制御情報を記述するコメントタグの位置を、あらかじめ決めておいたほうがよい。
また、上述の実施の形態においては、前記ピクト領域３１あるいは背面表示部３４に表示する絵文字を示す情報を制御情報としていたが、これに限られることはなく、前記ピクト領域３１あるいは背面表示部３４にテキストデータなどを表示するようにしてもよい。
【００１６】
次に、前記ピクト領域３１あるいは背面表示部３４に常時表示するＣＢＳコンテンツを、既存のＣＢＳコンテンツと区別するための所定の識別子（Ｍｅｓｓａｇｅ  Ｃｌａｓｓ）を付したコンテンツとして配信するようにした実施の形態について説明する。
図５は、前記ピクト領域３１あるいは背面表示部３４で常時表示するためにＣＢＳで配信される天気予報の情報の一例を示す図である。図示するように、この例においては、テーブル構造とされた天気予報の情報を配信するようにしている。すなわち、「晴れ／曇り／雨／雪」（ｆｉｎｅ／ｃｌｏｕｄｙ／ｒａｉｎ／ｓｎｏｗ）の予報１（Ｒｅｐｏｒｔ１）、「時々／後」（ｓｏｍｅｔｉｍｅｓ／ａｆｔｅｒ）のパラメータ（Ｐａｒａｍｅｔｅｒ）、「晴れ／曇り／雨／雪」（ｆｉｎｅ／ｃｌｏｕｄｙ／ｒａｉｎ／ｓｎｏｗ）の予報２（Ｒｅｐｏｒｔ２）、最高気温（Ｍａｘ．  Ｔｅｍｐ）、最低気温（Ｍｉｎ．  Ｔｅｍｐ）及び降雨確率（ｐｒｏｂａｂｉｌｉｔｙ  ｏｆ  ｐｒｅｃｉｐｉｔａｔｉｏｎ）のパーセントの各情報からなる天気予報データテーブルを所定の識別子を付して配信する。この情報はテキスト情報であるため、データ量は少なくてすむ。また、データの内容は、上述したｆｉｎｅ，ｃｌｏｕｄｙ，…といったテキスト自体でなく、符号化したテキストコードであってもよい。
【００１７】
前記制御部１１のデータ解析手段２１は、前記図３のステップＳ３において、前記記憶部１２内に保存されたＣＢＳコンテンツのうち、前記所定の識別子が付されている情報を検出し、その解析を行う。
コンテンツが図５に示したデータであるときには、予報１、パラメータ及び予報２のデータを解析する。
そして、その解析結果に基づいて、前記表示制御手段２２は、予報１、パラメータ及び予報２のデータに対応する画像データを前記記憶部１２から読み出し、前記表示部のピクト表示部３１あるいは前記背面表示部３４に表示させる（ステップＳ４）。前記図２（ｂ）に示した表示例３３，３５では、予報１のデータが「ｆｉｎｅ」、パラメータのデータが「ｓｏｍｅｔｉｍｅｓ」、予報２のデータが「ｃｌｏｕｄｙ」であった場合を示している。
【００１８】
このように、この実施の形態によっても、配信される情報を自動的にピクト表示部３１あるいは背面表示部３４に表示することができ、ＣＢＳで配信される最新の情報を特別な操作をすることなく常時閲覧することができる。
また、ピクト領域３１や背面表示部３４に表示されるデータについては、所定の識別子を付して配信するようにしているため、他のＣＢＳ配信される情報と区別することができ、配信情報を処理する他のアプリケーションに対して悪影響を与えることがない。
なお、前記図５に示した配信データの例では、ピクト領域３１あるいは背面表示部３４に表示されないデータも配信するようにしているが、表示することができる情報のみを配信するようにしてもよいし、配信される情報を分割して、ピクト領域３１あるいは背面表示部３４に表示するようにしてもよい。あるいは、ユーザー操作に応じて、実行領域３２に全情報を表示させるようにしてもよい。
また、前記図５に示した配信データはテーブル形式を有するデータであったが、これに限られることはなく、タグ形式のデータなどとすることができる。
【００１９】
さらに、上述した各実施の形態においては、天気予報をピクト領域３１あるいは背面表示部３４に常時表示させるようにしたが、例えば、占い情報など、天気予報以外のＣＢＳで配信される情報を表示させるようにしてもよいし、ユーザーが、ピクト領域３１あるいは背面表示部３４に表示する情報を選択できるようにしてもよい。
さらにまた、カーナビと連動させれば、カーナビ上でも常に最新の天気予報を表示させることが可能となる。
【００２０】
【発明の効果】
以上説明したように、本発明の携帯通信機器によれば、天気予報などのＣＢＳ配信情報がピクト領域や背面表示部に自動的に表示されるため、ユーザーが設定操作を行うことなく、簡単に閲覧することが可能となる。
【図面の簡単な説明】
【図１】本発明の携帯通信機器のハードウェア構成の概略を示すブロック図である。
【図２】本発明の携帯通信機器における表示の様子を示す図であり、（ａ）は表示部における待ち受け表示時、（ｂ）は背面表示部の表示の一例を示す図である。
【図３】本発明の携帯通信機器における処理の流れを示すフローチャートである。
【図４】ＣＢＳで配信される情報の一例について説明するための図であり、（ａ）は天気予報コンテンツの一例、（ｂ）はコメントタグ中に含まれる制御情報の意味を示すテーブルの一例を示す。
【図５】ＣＢＳで配信される情報の他の例を示す図である。
【図６】ＣＢＳについて説明するための図である。
【図７】従来におけるＣＢＳ配信された最新の情報の閲覧について説明するための図である。
【符号の説明】
１１  制御部、１２  記憶部、１３  表示部、１４  操作キー、１５  アンテナ、１６  送受信部、１７  信号処理部、１８  マイク、１９  スピーカ、３１ピクト領域、３２  実行領域、３３  天気予報の表示、３４  背面表示部、３５  天気予報の表示、４１  コメントタグ
【図１】
2004193939.tif 000003
【図２】
2004193939.tif 000004
【図３】
2004193939.tif 000005
【図４】
2004193939.tif 000006
【図５】
2004193939.tif 000007
【図６】
2004193939.tif 000008
【図７】
2004193939.tif 000009